(57)【特許請求の範囲】
【請求項１】
予め各プリセットキーに商品データを設定しておき、該プリセットキーが操作されると該当する商品データを呼び出して商品登録を行う販売データ登録装置において、
複数のプリセットキーを設けることができるカラータッチパネルと、
商品の分類毎に色データを記憶する第１の記憶手段と、
前記プリセットキー毎に前記色データを記憶する第２の記憶手段と、
分類した商品の分類毎に前記色データを前記第１の記憶手段に設定する第１の設定手段と、
前記プリセットキー毎に前記色データを前記第２の記憶手段に設定する第２の設定手段と、
前記第２の記憶手段に前記色データが設定操作されたプリセットキーに、前記第２の記憶手段に記憶されている色データを前記第１の記憶手段の該当する商品が属する分類に記憶されている色データに優先して発色させる表示色制御手段とを備えたことを特徴とする販売データ登録装置。
【請求項２】
プリセットキーを定義する設定データとして表示色項目を設け、この表示色項目の初期値は該当商品が属する分類に設定された色データと同じにすることを特徴とする請求項１に記載の販売データ登録装置。
【請求項３】
前記タッチパネルは、プリセットキー表示画面を複数備え、画面切換可能としたことを特徴とする請求項１に記載の販売データ登録装置。
【発明の詳細な説明】
【０００１】
【発明の属する技術分野】
この発明は、小売店等において使用され、プリセットキーを操作して商品登録を行う販売データ登録装置に関する。
【０００２】
【従来の技術】
最近の販売データ登録装置では、タッチパネル上にプリセットキーを表示して登録できるようになっている。
【０００３】
【発明が解決しようとする課題】
ところが上述の装置では、店員が目的のプリセットキーを探すには、プリセットキー上に表示されている文字を読むことによって行い、早く探すためには大まかな位置を覚えておく必要があり、慣れていない店員にとっては作業性が良くないという課題があった。
【０００４】
本発明はこのような背景の下になされたもので、プリセットキーを色表示することによって作業性を良くすることができる販売データ登録装置を提供することを目的とする。
【０００５】
【課題を解決するための手段】
請求項１に記載の発明は、予め各プリセットキーに商品データを設定しておき、該プリセットキーが操作されると該当する商品データを呼び出して商品登録を行う販売データ登録装置において、複数のプリセットキーを設けることができるカラータッチパネルと、商品の分類毎に色データを記憶する第１の記憶手段と、前記プリセットキー毎に前記色データを記憶する第２の記憶手段と、分類した商品の分類毎に前記色データを前記第１の記憶手段に設定する第１の設定手段と、前記プリセットキー毎に前記色データを前記第２の記憶手段に設定する第２の設定手段と、前記第２の記憶手段に前記色データが設定操作されたプリセットキーに、前記第２の記憶手段に記憶されている色データを前記第１の記憶手段の該当する商品が属する分類に記憶されている色データに優先して発色させる表示色制御手段とを備えたことを特徴とする販売データ登録装置を提供する。
【０００６】
請求項２に記載の発明は、請求項１に記載の販売データ登録装置において、
プリセットキーを定義する設定データとして表示色項目を設け、この表示色項目の初期値は該当商品が属する分類に設定された色データと同じにすることを特徴とする。
【０００９】
請求項３に記載の発明は、請求項１に記載の販売データ登録装置において、前記タッチパネルは、プリセットキー表示画面を複数備え、画面切換可能としたことを特徴とする。
【００１０】
【発明の実施の形態】
以下、この発明の一実施形態について図を参照しながら説明する。図１はこの発明の一実施形態による販売データ登録装置の外観正面図および側面図である。
この図において、符号１２の販売データ登録装置のうち、カラー液晶タッチパネル１８は、モード切替、設定、登録等の操作と表示を行う。
メカキーからなる入力キー１７は、テンキーや登録用ファンクションキー、小計キー、現計キー等がある。
【００１１】
客用表示器１９は、顧客に対して品名や値段の表示を行う。
レシート発行口２０は、レシートを発行して排出させる機能を持ち、この奥にレシート、ジャーナルプリンタがある。
カード挿入口２１の奥には、カードリーダがあり、カードに記憶された情報を読みとることができる。
【００１２】
図２は図１に示した販売データ登録装置に内蔵される電気回路構成を示す系統ブロック図である。
この図において、ＣＰＵ２７は、装置全体の制御や演算処理を行う。
ＨＤＤ（ハードディスク）２８はＣＰＵ２７の実行プログラムや各種ファイルデータを記憶する。
ＲＡＭ２９はＣＰＵ２７が制御、演算を行うためのワークエリアとして使われる。
その他印字部２３、ドロア２２、時計２５、ブザー４４等がある。
【００１３】
図３はメモリマップの構造を示す図である。
この図に示すメモリマップは、ＨＤＤ２８のメモリマップで、実行プログラムを記憶するプログラムエリア、キーファイル、部門ファイル、メイングループファイル、商品ファイル等がある。
以下、図４に商品ファイル、図５にメイングループファイル、図６に部門ファイル、図７にキーファイルを示し、順次説明する。
【００１４】
図４に示す商品ファイルは、商品コード、品名、ＭＧコード（メイングループコード）、単価等からなり、ＭＧコードは商品を分類する下位（細かい）の分類を行う。
図５に示すメイングループ（ＭＧ）ファイルは、ＭＧコード、名称、色、部門コード等からなり、部門コードはＭＧを分類する上位（粗い）の分類を行う。
【００１５】
図６に示す部門ファイルは、部門コード、名称等からなる。
図７に示すキーファイルは、登録モードで物理的に存在するすべてのキーに割り付けた番号がキー番号であり、画面毎にも異なるキー番号がついている。
キー番号は、表示画面において、若い順に左上端から始まって下に進み、次に右隣の列に進むようになっている。
【００１６】
キーデータとしては、キー番号、機能番号（ここで３６はプリセットキーを意味し、１０６は画面切換キーを意味するように予め機能毎に番号付けしてある）、データ（プリセットキーの場合には商品コード等、画面キーではページ番号、というようにキーが機能する際に参照するデータのこと）、名称（キー上に表示する文字）、キーを色表示するための色データ等からなる。
【００１７】
次に、キーファイルの内容をタッチパネル上に表示した登録画面の例を図８に示す。
この図の画面の左下に６行５列のプリセットキーがあり、右下にキーファイルで定義される画面切替キーがある。
【００１８】
この画面で商品登録が行われると、その商品の品名、金額等が左上に表示されるようになっている。
プリセットキーは、キー番号１から６までのグループ、７から１２までのグループ、１３，１４，１５，１９，２０，２１のグループ、１６，１７，１８，２２，２３，２４，３０のグループがそれぞれグループ内では同じＭＧコードで分類され、かつ、他のグループとは異なるＭＧコードで分類されて、グループ毎に色分けされるようにＭＧファイル、キーファイルで設定されている。
【００１９】
次に図９は、本発明の一実施形態による販売データ登録装置の動作の概略を示すフローチャートである。
この図のステップＳ１（以下、Ｓ１等とする）において、現在のモードが設定モードか否か判断し、ＮＯならばＳ１９へ、ＹＥＳならＳ２に移る。
Ｓ２で、ＭＧ（メイングループ）ファイルの設定であるか否か判断し、ＮＯならばＳ８に、ＹＥＳならばＳ３に移る。
【００２０】
Ｓ３で、ＭＧコードが入力される。
Ｓ４で、色データが入力される。例えば、タッチパネル上に色の見本を多数表示してそのうちの１つをタッチして入力すればよい。
【００２１】
Ｓ５で、必要であればＭＧファイルの上記以外の設定項目が入力される。
Ｓ６で、不図示の設定キーが操作されると、上記Ｓ３、Ｓ４、Ｓ５で入力されたデータをＭＧファイルに書き込み、設定する。同じＭＧコードがすでに存在する場合は上書きし、存在しなければ新たなエリアに書き込む。
【００２２】
Ｓ７で、ＭＧファイル設定を終了するため、不図示の終了キーが操作されたか否か判断し、ＮＯであればＳ３に戻り、ＹＥＳならばＳ１に戻る。
Ｓ８で、プリセットキーの設定であるか否か判断する。つまり、キーファイルが指定されたか否か判断し、ＮＯならばＳ２６に、ＹＥＳならＳ９に移行する。
【００２３】
Ｓ９で、キー番号が入力されると、キーファイルのうち該当するデータを読み出して表示する。
Ｓ１０で、機能番号が入力され、キーファイルの該当する機能番号の項目に書き込む。ここでは、プリセットキーの設定なので、３６が入力される。
【００２４】
Ｓ１１で、次に商品コードの入力が行われたか否か判断し、ＮＯならＳ１５に、ＹＥＳならＳ１２に移る。
Ｓ１２で、入力されたデータを商品ファイルの商品コードの項目に書き込む。
【００２５】
Ｓ１３で、入力された商品コードに基づいて商品ファイルから該当する商品データを読み出し、データのうちのＭＧコードに基づいてＭＧファイルから該当するＭＧデータを読み出す。
Ｓ１４で、読み出したＭＧデータのうちの色データをキーファイルの該当する色の項目に書き込む。
これにより、プリセットキーの色データは、初期値として該当するＭＧの色データが用いられる。
【００２６】
Ｓ１５で、色データの入力が操作部から行われたか否か判断し、ＮＯならばＳ１７に、ＹＥＳならＳ１６に移る。
Ｓ１６で、Ｓ１５において入力された色データをキーファイルの該当する色データとして書き込む。これにより、プリセットキー単独の色設定が行われたことになる。
【００２７】
Ｓ１７で、プリセットキーとしての他のデータの入力、書き込みが行われる。Ｓ１８で、不図示の終了キーが操作されたかを判断し、ＮＯならばＳ９に戻り、ＹＥＳだとＳ１に戻る。
【００２８】
Ｓ１９で、登録モードであるか否か判断し、ＮＯならばＳ２６へ、ＹＥＳならＳ２０へ移行する。
Ｓ２０で、登録モードに切り替わった直後、あるいは、プリセットキーのうち画面切替キーが操作された直後で登録画面のキー表示処理を行うか否か判断し、ＮＯならばＳ２６に、ＹＥＳならＳ２１に処理を移す。
【００２９】
Ｓ２１で、キーファイルから若いキー番号のデータを読み出す。
Ｓ２２で、読み出したデータに該当するタッチパネル上のプリセットキーに対して呼んだキー名称を表示する。
【００３０】
Ｓ２３で、前記Ｓ２２と同じキーに対して読み出した色データに基づいて色表示を行う。
Ｓ２４で、該当する画面に対してすべてのキーを表示し終えたか否か判断し、ＮＯだとＳ２１へ戻り、次のキーに対する動作を行い、ＹＥＳだとＳ２５に行く。
【００３１】
Ｓ２５で、登録画面に表示されたプリセットキーが操作されることにより、商品登録が行われ、精算処理を行う。
Ｓ２６で、上述した処理以外の処理、例えば、商品ファイルの設定やレポート出力等の処理を行ってＳ１に戻る。
この実施形態の販売データ登録装置は、概ね以上のように動作する。
【００３２】
次に本発明の第２の実施形態について説明する。
この第２の実施形態が上述の一実施形態と異なる箇所は、図９のフローチャートのＳ１３とＳ１４の処理を削除し、Ｓ１２からＳ１５に動作が移ることと、Ｓ２１からＳ２４の処理を図１０のフローチャートに置き換えたものである。
このフローチャートによる処理動作は、以下のようになる。
【００３３】
Ｓ３１で、キーデータを読み出す。
Ｓ３２で、キー名称を表示する。
【００３４】
Ｓ３３で、読み出したキーデータに色データが設定されているか否か判断し、ＹＥＳだとＳ３６へ、ＮＯだとＳ３４へ移行する。
Ｓ３４で、キーデータ中の商品コードに基づいて商品ファイルから商品データを読み出し、この商品データ中のＭＧコードに基づいてＭＧファイルから該当するＭＧデータを読み出す。
【００３５】
Ｓ３５で、ＭＧデータ中の色データを表示中のキーに対して色表示する。
Ｓ３６で、キーデータ中の色データを表示中のキーに対して色表示する。
【００３６】
Ｓ３７で、画面分のすべてのキーに対して終了したか否か判断し、ＮＯだとＳ３１に戻り、ＹＥＳだと次の処理に進む。（上述の一実施形態のＳ２５）
【００３７】
上述した第２の実施形態は、メイングループの色データを変更しても表示色が対応できるという利点がある。
しかし、一実施形態のように商品ファイルとメイングループファイルをアクセス応答の遅いハードディスク内に設けた場合には、ＭＧ（メイングループ）の色データを読み出すまでの時間が長くなるという欠点があり、この観点からは一実施形態の方式の方が優れている。
このため、この第２の実施形態では画面表示までの時間を短くするため、これらのファイルをＲＡＭに記憶させるようにすると良い。
【００３８】
以上、本発明の実施形態の動作を図面を参照して詳述してきたが、本発明はこれらの実施形態に限られるものではなく、本発明の要旨を逸脱しない範囲の設計変更等があっても本発明に含まれる。
例えば、次の場合も本発明に含まれる。
【００３９】
ａ．プリセットキーの色データの初期値とは、プリセットキーに色データの設定を行うことなく、書き込まれるデータであればどのようなものでも良い。
【００４０】
ｂ．プリセットキーの設定データとして、色データを優先順位の高いものと低いものに分け、低いものは分類色の色データを設定し、画面表示の際に優先順位の高いものが設定されていれば、その色表示を行い、高いものが設定されていなければ、低いものの色表示をするようにしても良い。請求項１、２の発明は、この方式も含むものとする。
【００４１】
ｃ．一実施形態におけるプリセットキーの色データの書き込みは、プリセットキーの設定時の商品コード入力時に行ったが、このタイミングに限定されるものではない。例えば、メイングループ等の分類ファイルで色データを設定した際に行う、あるいは毎朝の装置のパワーＯＮ時に行うものであっても良い。ただし、分類ファイルの色データを変更した場合には、変更前の色を記憶しておき、プリセットキーの色データが変更前の色と同じものに対してのみ色データの書き込みを行うようにすると、分類の色表示を行うプリセットキーのみに対して変更できる。
【００４２】
ｄ．分類毎の色設定は、メイングループファイルに限らず、部門ファイルやグループファイル、クラスファイル等、すべての商品を分類するファイルであれば、どのファイルで行っても良い。また、一部の商品を他の商品と区別する特売ファイル、カテゴリーファイル、ミックスマッチファイル、セットマッチファイルで行っても良い。
【００４３】
ｅ．実施形態では、同じ分類毎にプリセットキーをまとめて配置し、画面のプリセットキーで同じ分類の範囲が一見して分かるため、目的のプリセットキーを早く探すことができたが、この形態の限定されるものではなく、まとめて配置しなくても、色により目的のキーを早く探すことができる。
【００４４】
ｆ．各ファイルはストアコントローラ等で管理し、通信回線を介してデータのやりとりを行うものであっても良い。
【００４５】
【発明の効果】
これまでに説明したように、この発明の請求項１ないし２によれば、分類（例えば、部門）毎に色データの設定をしておけば、プリセットキーの表示色を分類毎に異ならせることができ、設定が簡単にできる。しかも、オペレータは商品が属する分類の色のキーから目的のプリセットキーを探せばよいため、早く探すことができる。
【００４６】
また、請求項１の発明によれば、プリセットキーが同じ分類であっても区別して表示することができ、例えば、特に使用頻度の高いプリセットキーは目立つ色にすれば操作性を向上させることができる。
【００４７】
また、請求項３の発明によれば、プリセットキー表示画面は画面毎に分類を異ならせるのが普通なので、プリセットキー画面毎に表示色が異なり、一見してどの画面（分類）かが分かるため、オペレータが意図しないプリセットキー画面で間違ってキーを押してしまうミスを減少させることができる。
【図面の簡単な説明】
【図１】  この発明の一実施形態による販売データ登録装置の外観正面図および側面図。
【図２】  図１に示した販売データ登録装置に内蔵される電気回路の系統ブロック図。
【図３】  メモリマップのデータ構造を示す図。
【図４】  商品ファイルのデータ構造を示す図。
【図５】  メイングループファイルのデータ構造を示す図。
【図６】  部門ファイルのデータ構造を示す図。
【図７】  キーファイルのデータ構造を示す図。
【図８】  キーファイルの内容をタッチパネル上に表示した登録画面の例を示す図。
【図９】  この発明による販売データ登録装置の動作の概略を示すフローチャート。
【図１０】  この発明の第２の実施形態の動作を示すフローチャート。
【符号の説明】
１２…販売データ登録装置
１７…入力キー
１９…客用表示器
２０…レシート発行口
２１…カード挿入口
２２…ドロア
２３…印字部
２５…時計
２７…ＣＰＵ
２８…ＨＤＤ（ハードディスク）
２９…ＲＡＭ
４４…ブザー
【図１】
0003656510.tif 000002
【図２】
0003656510.tif 000003
【図３】
0003656510.tif 000004
【図４】
0003656510.tif 000005
【図５】
0003656510.tif 000006
【図６】
0003656510.tif 000007
【図７】
0003656510.tif 000008
【図８】
0003656510.tif 000009
【図９】
0003656510.tif 000010
【図１０】
0003656510.tif 000011